(57)【要約】 【課題】犬の洗浄方法を文字と写真で表し、その手順を迅速に把握することが可能な説明書を提供する。【解決手段】犬を洗浄する道具を利用して犬を洗浄する方法を記載した説明書１００であって、説明書１００は、手順を上段に、注意点を下段に、文字で配置し、配置した右側に、その内容を表すのに適当な写真を配置する説明書の構成であって、少なくとも、犬を所有する客先に出向く前の事前準備段階と、犬の洗浄手順と注意点を文字と写真で記載した段階と、道具の手入れを記載した段階と、を記載したことを特徴とする。【選択図】図１
2015107621.tif 000002
【特許請求の範囲】
【請求項１】
犬を洗浄する道具を利用して犬を洗浄する方法を記載した説明書であって、
前記説明書は、手順を上段に、注意点を下段に、文字で配置し、
前記配置した右側に、その内容を表すのに適当な写真を配置する説明書の構成であって、
少なくとも、
犬を所有する客先に出向く前の事前準備段階と、
犬の洗浄の段階と、
道具の手入れの段階と、
が記載されたことを特徴とする説明書。
【請求項２】
請求項１記載の説明書であって、
前記犬の洗浄の段階の記載は、
（１）犬の安全を確保した上で犬を繋ぎという文章と、併せて、繋いだ状態の写真と、
（２）事前の手入れとして犬のブラッシング及び毛玉の除去を行う文章と、併せて、ブラッシング中の写真と、
（３）汚れが目立つ場合は、犬の体を湿らせてから洗いに入るという文章と、湿らせる写真と、
（４）犬の体の洗う部分と洗う手順の記載と、併せて、その写真と、
（５）乾いたマイクロファイバークロスで体の水分を吸収させる文章と、併せて、ふき取りの写真と、
（６）ドライヤーで毛が乾くまで乾燥させる文章と、ドライヤーを使用した写真と、
を有することを特徴とする説明書。
【請求項３】
請求項２記載の発明であって、前記犬の体の洗う部分と洗う手順の記載及び写真は、
（１）股部を洗うことを記載した文章と、股部の写真と、
（２）尾を洗うことを記載した文章と、尾の写真と、
（３）耳を洗うことを記載した文章と、耳の写真と、
（４）頭部を洗うことを記載した文章と、頭部の写真と、
（５）目の周りを洗うことを記載した文章と、目の写真と、
（６）肉球を洗うことを記載した文章と、肉球の写真と、
の（１）から（６）までの手順の記載を有することを特徴とする説明書。
【請求項４】
請求項１又は２記載の発明であって、犬の洗浄後の道具の手入れの段階の記載であって、
洗浄に使用した装置と道具類の乾燥及び清掃の手順について文章と写真とから記載したことを特徴とする説明書。
【発明の詳細な説明】
【技術分野】
【０００１】
本発明は、犬の洗浄方法を文字と写真で表し、その手順を迅速に把握することが可能な説明書を提供する。
【背景技術】
【０００２】
ペットを飼う家庭が増加していることに伴い、ペットの衛生面を考慮して、その洗浄の必要性が増している。とりわけ、家の中で、飼うペットで犬については、散歩から帰ってきたときに、家の外で付着した汚れを除去しないと家の中が不衛生になる。
【０００３】
このような場合、自宅で犬を洗浄する以外に、犬のトリマーが、その業務を請け負うことが多い。しかしながら、犬の洗浄については、時間がかかり、一日に一人のトリマーが洗浄できる頭数には限りがある。
【０００４】
そこで、時間を短縮して犬の洗浄を完了できる装置を利用して、その作業手順を分かりやすく解説した説明書を提供することとした。
また、従来から、手順について解説した説明書の先行技術文献はないが、この考え方に、近いものとして、補償内容を迅速に把握できることが可能な契約書の説明セットが次の文献であり、本願も、説明書に、犬の洗浄手順を分かりやすく記載するという点で考え方が似ている。
【先行技術文献】
【特許文献】
【０００５】
【特許文献１】実用新案登録第３１４１４５２号公報
【発明の概要】
【発明が解決しようとする課題】
【０００６】
従来、犬を洗浄する作業は、その家庭やトリマーのノウハウである場合が多く、公表された文献が少ない。一方で、犬を洗浄する手順を、予め、まとめて記載した説明書があれば、誰でも、簡単に洗浄できることになる。
【０００７】
上記の目的を解決するために、犬を洗浄する道具を利用して犬を洗浄する方法を記載した説明書であって、その説明書は、手順を上段に、注意点を下段に、文字で配置し、配置した右側に、その内容を表すのに適当な写真を配置している説明書の構成であって、少なくとも、犬を所有する客先に出向く前の事前準備段階と、犬の洗浄の段階と、道具の手入れの段階と、が記載されたことを特徴とする説明書を提供する。この構成によれば、瞬時に、手順を把握することが可能である。
【０００８】
また、特に、犬の洗浄の工程を文章と写真で記載した説明書があると、非常に、便利である。この目的を達成するため、犬の洗浄の段階の記載について、
（１）犬の安全を確保した上で犬を繋ぎという文章と、併せて、繋いだ状態の写真と、
（２）事前の手入れとして犬のブラッシング及び毛玉の除去を行う文章と、併せて、ブラッシング中の写真と、
（３）汚れが目立つ場合は、犬の体を湿らせてから洗いに入るという文章と、湿らせる写真と、
（４）犬の体の洗う部分と洗う手順の記載と、併せて、その写真と、
（５）乾いたマイクロファイバークロスで体の水分を吸収させる文章と、併せて、ふき取りの写真と、
（６）ドライヤーで毛が乾くまで乾燥させる文章と、ドライヤーを使用した写真と、
を有することを特徴とする説明書を提供する。この構成によれば、作業者が、複雑で、見落としがちな工程を、迷うことなく実施できる。
【０００９】
また、犬の洗浄を行う工程で、具体的に、犬を洗浄する手順を記載した説明書があれば、便利である。そこで、この目的を達成するため、犬の体の洗う部分と洗う手順の記載及び写真は、
（１）股部を洗うことを記載した文章と、股部の写真と、
（２）尾を洗うことを記載した文章と、尾の写真と、
（３）耳を洗うことを記載した文章と、耳の写真と、
（４）頭部を洗うことを記載した文章と、頭部の写真と、
（５）目の周りを洗うことを記載した文章と、目の写真と、
（６）肉球を洗うことを記載した文章と、肉球の写真と、
の（１）から（６）までの手順の記載を有することを特徴とする説明書を提供する。この構成によれば、ビジュアルで作業内容を把握できるようになる。
【００１０】
また、本発明は、洗浄後、使用した装置の手入れについて言及することが、誰でも利用できるうえで、望ましい。この目的を達成するため、洗浄後の道具の手入れを記載した手順であって、
洗浄に使った装置の乾燥、清掃を文章と写真とから記載したことを特徴とする説明書を提供する。この構成によれば、犬を洗浄した後、作業者が何をすべきかが把握できるようになる。
【発明の効果】
【００１１】
本発明によれば、犬の洗浄方法を文字と写真で表し、その手順を迅速に把握することが可能な説明書を提供することができる。
【図面の簡単な説明】
【００１２】
【図１】実施形態に係る説明書の一例を示す概略全体図である。
【図２】図１の説明書の要部を示す図である。
【図３】図１の説明書の要部を示す図である。
【図４】図１の説明書の要部を示す図である。
【発明を実施するための形態】
【００１３】
以下、本発明の実施形態に係る説明書１００の一例について、図面を参照しながら説明する。なお、本明細書において、図面を参照した上下及び左右の向きの記載については、図面を図中の符号の向きに見た場合である。
【００１４】
［説明書１００の構成と内容］
図１は、実施形態に係る説明書１００の一例を示す概略全体図である。図１は、見やすくするために、説明書１００の記載の一部は省略して表わしている。また、説明書１００は、例えば、所定の用紙に文字や写真が印刷されることで形成され、複数の用紙（ページ）を有する。なお、図１では、用紙の構成は省略して表わしている。
【００１５】
説明書１００は、犬を洗浄する道具を利用して犬を洗浄する方法を記載した説明書である。説明書１００は、犬を所有する客先に出向く前の事前準備段階と、犬の洗浄する段階と、道具の手入れの段階と、の３つの段階について、この順で記載されており、図１に示すように、事前準備１１、犬の洗浄２１、及び道具の手入れ３１の項目と、各項目の下に設けられた表１０、２０、３０と、から構成される。表１０、２０、３０には、各項目１１〜３１に対応する内容が記載されている。
【００１６】
図２は、図１の説明書１００の要部を示す図であり、説明書１００において事前準備段階について記載された部分のみを示している。事前準備段階の記載は、図２に示すように、項目名の事前準備１１と、その下に表１０が配置されている。表１０は、３列かつ６行の構成となっており、１行目（最上の行）には、列の記載内容の見出しが記載される欄が設けられる。表１０の左の列は、手順を示すためのナンバリングが記載される欄１２となっている。また、表１０の中央の列は、各ナンバーの工程における手順及び注意点が記載される欄１３となっている。また、この手順及び注意点が記載される欄１３は、各行において２段構成となっており、上段は手順が記載される欄１３ａ、１３ｃ、１３ｅ、１３ｇ、１３ｉ、下段は注意点が記載される欄１３ｂ、１３ｄ、１３ｆ、１３ｈ、１３ｊとなっている。手順及び注意点は、文字で記載される。表１０の右の列、すなわち手順及び注意点が記載される欄１３の右側の列には、それぞれ手順及び注意点が記載される欄１３に記載された内容を表すのに適当な写真１４ａ、１４ｂ、１４ｃ、１４ｄ、１４ｅが配置される欄１４が設けられている。次に、図２に示す表１０の見方について説明する。表１０の上から２行目の記載を見ると、「１」番目の手順として、「客先に向かう前に道具類を確認する。」工程があり、その際に確認すべき道具として、「マシン、ホース、洗浄液、吸水シート、トリミング道具一式他」があることが解り、さらにこれらの道具の写真１４ａが参照可能となっている。表１０の３行目以下の内容の見方についても２行目と同様である。
【００１７】
次に、表１０の各欄の記載内容について説明する。表１０には、事前準備段階について、客先に向かう前の道具を確認する工程からマシン（洗浄機）をセットするまでの作業内容が手順に従って記載されている。具体的には、表１０には、図２に示すように、客先に向かう前に道具類を確認するという文章及び道具類の写真、スペースが決まったらマシンをセットするという文章及びセットされたマシンの写真などが配置されている。
【００１８】
図３は、図１の説明書１００の要部を示す図であり、説明書１００における犬の洗浄の段階について記載された部分のみを示している。なお、図３では、犬の洗浄の段階の記載の一部（ナンバリング９〜１９の部分）については省略している。犬の洗浄についての記載は、図３に示すように、項目名である犬の洗浄２１と、その下に表２０が配置されている。表２０は、３列かつ複数の行を有する構成となっており、１行目（最上の行）には、列の記載内容の見出しが記載される欄が設けられる。表２０の左の列は、手順を示すためのナンバリングが記載される欄２２となっている。また、表２０の中央の列は、各ナンバーの工程における、手順及び注意点が記載される欄２３となっている。また、この手順及び注意点が記載される欄２３は、各行において２段構成となっており、上段は手順が記載される欄２３ａ、２３ｃ、２３ｅ、２３ｇ、２３ｉ、下段は注意点が記載される欄２３ｂ、２３ｄ、２３ｆ、２３ｈ、２３ｊとなっている。手順及び注意点は、文字で記載される。表２０の右の列、すなわち手順及び注意点が記載される欄２３の右側の列には、それぞれ手順及び注意点が記載される欄２３に記載された内容を表すのに適当な写真２４ａ、２４ｂ、２４ｃ、２４ｄ、２４ｅが配置される欄２４が設けられている。
【００１９】
次に、表２０の各欄の記載内容について説明する。表２０には、犬の洗浄の段階についての作業内容が手順に沿って記載されている。具体的には、図３に示すように、表２０には、（１）犬の安全を確保した上で犬を繋ぎという文章と、繋がれた犬の写真と、（２）事前の手入れとして犬のブラッシング及び毛玉の除去を行う文章と、併せて、ブラッシング中の写真と、（３）汚れが目立つ場合は、犬の体を湿らせてから洗いに入るという文章と、湿らせる写真と、（４）犬の体の洗う部分と洗う手順の記載と、併せて、その写真と、（５）乾いたマイクロファイバークロスで体の水分を吸収させる文章と、併せて、ふき取りの写真と、（６）ドライヤーで毛が乾くまで乾燥させる文章と、ドライヤーを使用した写真と、の以上（１）〜（６）の記載を有している。なお、図３においては、上記（４）の犬の体の洗う部分と洗う手順の記載については省略している。これら（１）〜（６）の各記載は、この順で、それぞれ表２０の異なる行に記載されており、手順及び注意点が記載される欄２３には上記の文章が、その右側の写真が掲載される欄２４には上記の写真がそれぞれ配置されている。
【００２０】
また、犬の体の洗う部分と洗う手順の記載は、（Ａ）背中から洗うことを記載した文章と、背中の写真と、（Ｂ）脇腹に手を添えながら洗うことを記載した文章と、脇腹の写真と、（Ｃ）腕周りから腹にかけてを洗うことを記載した文章と、腹の写真と、（Ｄ）肩上部から足先までを洗うことを記載した文章と、当該部分の写真と、（Ｅ）股部を洗うことを記載した文章と、股部の写真と、（Ｆ）尾とおしり回りを洗うことを記載した文章と、当該部分の写真と、（Ｇ）犬のあご下から胸にかけてを洗うことを記載した文章と、当該部分の写真と、（Ｈ）首回りと耳、その周囲を洗うことを記載した文章と、当該部分の写真と、（Ｉ）頭部を洗うことを記載した文章と、頭部の写真と、（Ｊ）目の周りと細かい部分を洗うことを記載した文章と、当該部分の写真と、（Ｋ）肉球を洗うことを記載した文章と、肉球の写真と、の上記（Ａ）〜（Ｉ）を有している。表２０には、上記（Ａ）〜（Ｉ）のそれぞれの記載が、図示しないが、ナンバリング９〜１９の各行に、この順で記載されており、手順が記載される欄には上記の文章が、その右側の写真が掲載される欄２４には上記の写真がそれぞれ配置されている。
【００２１】
図４は、図１の説明書１００の要部を示す図であり、説明書１００における道具の手入れの段階について記載された部分のみを示している。道具の手入れについての記載は、図４に示すように、項目名である道具の手入れ３１と、その下に表３０が配置されている。表３０は、３列かつ６行の構成となっており、１行目（最上の行）には、列の記載内容の見出しが記載される欄が設けられる。表３０の左の列は、手順を示すためのナンバリングが記載される欄３２となっている。また、表３０の中央の列は、各ナンバーの工程における、手順及び注意点が記載される欄３３となっている。また、この手順及び注意点が記載される欄３３は、各行において２段構成となっており、上段は手順が記載される欄３３ａ、３３ｃ、３３ｅ、３３ｇ、３３ｉ、下段は注意点が記載される欄３３ｂ、３３ｄ、３３ｆ、３３ｈ、３３ｊとなっている。手順及び注意点は、文字で記載される。表３０の右の列、すなわち手順及び注意点が記載される欄３３の右側の列には、それぞれ手順及び注意点が記載される欄３３に記載された内容を表すのに適当な写真３４ａ、３４ｂ、３４ｃ、３４ｄ、３４ｅが配置される欄３４が設けられている。
【００２２】
次に、表３０の各欄の記載内容について説明する。表３０には、道具の手入れの段階について、洗浄に使用した装置（マシン）と道具類の乾燥及び清掃の手順について文章と写真とから記載されている。具体的には、図４に示すように、表３０には、ノズルを清掃することを記載した文章及びその写真、マシンを保管することを記載した文章及びその写真などが配置されている。
【００２３】
このように、説明書１００の構成によれば、犬を洗浄する道具を利用して犬を洗浄する方法の説明書において、事前準備段階と、犬の洗浄する段階と、道具の手入れの段階と、の３つの段階について、それぞれ、文字の記載欄１３、２３、３３及び写真の配置欄１４、２４、３４が設けられていることにより、犬を洗う人がこのような説明書１００を参照すれば、手順や注意点を迅速かつ的確に把握することが可能となる。
【００２４】
また、説明書１００に記載内容によれば、犬の洗浄の段階、犬の体の洗う部分と洗う手順、及び洗浄後の道具の手入れの手順について、文章及び写真により、かつ順番に従って説明されており、犬を洗う人がこのような説明書１００を参照すれば、手順や注意点などの内容を容易に理解することができる。
【００２５】
なお、説明書１００の構成は、上記した記載に限定されず、種々の変更が可能である。例えば、説明書１００は、各表１０〜３０の上に、「事前準備」や「犬の洗浄」などの各項目名１１〜３１が付されているが、各項目名１１〜３１の一部または全部は、変更あるいは省略されてもよい。また、ナンバリングが付される欄１２〜３２についても、その一部または全部は省略されてもよい。また、ナンバリングが記載される欄１３等に記載は、図示したような算用数字であることに限定されず、漢数字やローマ数字等の表記であってもよい。また、上記のナンバリングは、図１〜４に示すようなに全工程に対する通し番号としてもよいが、これに限定されない。例えば、「事前準備」や「犬の洗浄」などの各項目の記載に対する通し番号であってもよく、図３に示す表２０及び図４に示す表３０のナンバリングは、それぞれ「１」から始めてもよい。また、各表１０〜３０の行数及び列数は任意に設定可能である。また、表１０〜３０については、一部あるいは全部をまとめて１乃至３つの表として形成されてもよい。また、説明書１００は、図１〜４に示すような表の形式で構成されることに限定されず、例えば各記載欄に対する枠の一部または全部は設けられなくてもよい。
【００２６】
また、説明書１００に記載される犬の洗浄方法についても、上記した内容に限定されず、種々の変更が可能である。例えば、表１０、２０、３０において、新たな手順及び工程の付加や一部の工程の削除などの変更がされてもよい。また、上記した手順の順番は、入れ替えてもよく、複数の工程が同時に並行して行うようにしてもよい。例えば、犬の洗浄する段階の作業手順や犬の洗浄手順について、内容の一部を付加あるいは削除してもよく、順番を入れ替えてもよい。
【００２７】
また、説明書１００は、手順及び注意点が記載される欄１３、２３、３３あるいは写真が掲載される欄１４、２４、３４に、後から記載可能な空白部分が設けられた、テンプレートとして作成及び提供されてもよい。この場合、手順及び注意点が記載される欄には、随時、説明を付け足すようにすることができるとともに、写真についても、デジタルカメラを用いて撮影すれば、随時、挿入あるいは変更が容易にできるので、便利である。
【００２８】
また、説明書１００は、複数用紙から構成されることに限定されず、１枚の用紙にまとめて形成されてもよい。また、説明書１００は、表面を保護するためにファイルやカバー等で被覆されてもよい。また、説明書１００は、素材は紙に限定されず、例えば、防水フィルム、シールなどの表面に説明内容が記載されて形成されてもよい。説明書１００が防水フィルムにより形成される場合、説明書１００は、洗浄液等で濡れても劣化しにくい構造となっており、犬を洗浄する人が説明書１００を携帯して参照しながら作業を行うことができる。また、説明書１００がシールとして形成される場合、例えば洗浄用のマシンの見やすい位置に説明書１００が貼付しておくことが可能となる。
【００２９】
また、説明書１００に記載された内容については、電子データとして情報記憶媒体等に格納されてもよい。この場合、説明書１００の内容の編集をＰＣ等により容易に行うことができるとともに、携帯端末などにデータを表示させて利用することも可能となる。
【００３０】
［説明書１００に記載の犬の洗浄方法］  
続いて、上記した説明書１００の記載内容に則して行われる犬の洗浄方法の一例について説明する。なお、以下の説明の一部または全部については、説明書１００の手順及び注意点が記載される欄１３、２３、３３に文章で記載されてもよく、さらにその文章の内容を表すのに適当な写真が、写真が配置される欄１４、２４、３４に配置されてもよい。
【００３１】
先ず、説明書１００を開けて、記載された手順に沿って作業を行う。手順については、ナンバリング（図１の表の左側の列を参照）がしてあり、そのナンバーの順番に従って作業を行う。
【００３２】
事前準備の段階における作業は、説明書１００の表１０（図２参照）を参照しながら行ってもよい。先ず、客先に向かう前に道具類が揃っていることを確認する。具体的には、犬を洗浄する洗浄水、これは、犬の体にやさしいアルカリ性であり、かつケミカル（化学物質）を含まない水であることが望ましい。犬の洗浄には、洗浄機が用いられる。この洗浄機は、家庭用掃除機のような吸引式構造を有している。この洗浄機は、洗浄水を入れるタンクと、洗浄水を噴射するノズルと、洗浄した水を吸い取るホースとが、少なくとも、構造上必要であり、洗浄機本体とともに、これらの器具一式が用意される。なお、ホースの先端部分には、洗浄した水を吸い取るための吸引口が取り付けられる。吸引口はノズルと一体的に形成されている。吸引口は、洗浄した水を吸引する際に汚れ具合を目で確認できるように透明に形成されているとよい。その他、クロス、吸水マット、除菌洗剤、及びスプレーなど、犬の洗浄に必要な道具類一式を用意する。その後、これら道具類一式が揃っていることを確認する。なお、クロスには、マイクロファイバークロス（マイクロファイバー製のクロス）を用いるが、これに限定されない。
【００３３】
次に、犬を洗う場所を決める。洗う場所（スペース）は、犬を繋げることができることと、電源が確保できることを確認する。電源には、例えば自動車のバッテリーを利用してもよい。なお、これらの確認は、予め行っておくとよい。洗う場所としては、玄関が望ましい。なお、玄関が使用できなければ、駐車場や野外でも良い。ただし、雨天時には、野外は避ける。室内で小型犬を洗浄する場合、洗浄スペースには予め吸水シートを敷いておく。吸水シートは、細菌の繁殖を防ぐため、必ず使い捨てのものを使用する。また、水や汚れをふき取るためのマイクロファイバークロスを準備する。
【００３４】
洗う場所が決まったら、続いて、洗浄機を設置する。具体的には、洗浄機本体にホースを接続するとともに、ホースにノズル及び吸引口を接続する。また、タンクには約３００ｃｃ〜６００ｃｃの洗浄水を入れて、これを洗浄機にセットする。このような洗浄機の特徴としては、極めて少量の水で洗浄可能であることが挙げられる。洗浄機は、犬から離した位置に設置する。なお、室内に洗浄機を設置する場合、予め洗浄機の車輪をマイクロファイバークロスで拭いておく。以上の事前準備が完了したら、いよいよ犬の洗浄の段階へ移る。
【００３５】
犬の洗浄段階における作業は、説明書１００の表２０（図３参照）を参照しながら行ってもよい。
先ず、犬の安全を確保した上で、犬を繋ぐ。その際、繋がれた犬の移動範囲が洗浄機のホースが届く範囲内となるようにする。また、犬の体をチェックする。具体的には、犬の皮膚の状態を観察し、傷・おでき・しこり等の有無を調べる。また、例えば手の甲を犬の内股の毛の薄い部分に当てることにより犬の体温を調べ、平熱であることを確認する。また、犬の体毛に寄生するノミやダニの有無についても調べる。さらに、犬の食後１時間以上が経過していることを確認する。このような犬の体のチェックは、初回は飼い主の立ち会いの下で行い、犬ごとにカルテを作成して行う。
【００３６】
次に、洗浄前の犬の体の手入れとして、ブラッシング及び毛玉の除去を行う。これにより、毛並みが揃えられるとともに、毛に付着した埃等が除去され、次の工程の洗浄作業を容易に行うことができる。なお、このブラッシング等の作業は、犬の種類や体格などにより、費やす時間や手間が著しく異なる。そのため、この作業は必要に応じて適宜行うようにしてもよい。
【００３７】
続いて、犬の毛の長さを確認してノズルの長さの調整を行う。その際、ノズルは、洗浄する犬の毛の長さに合わせてその長さが決定される。その後、ノズル及び吸引口をホースの先端部分に取り付ける。このようにノズルの長さが調整されることにより、ノズルから噴出される洗浄水が毛の根元部分まで届くため、肌の汚れをより確実に除去することができる。
【００３８】
続いて、ノズルを用いて体毛を軽くとかし、犬をノズルに慣れさせる。その際、洗浄機の電源は切った状態で行う。また、犬の汚れが目立つ場合には、洗浄作業前に、犬の体を湿らせておく。この場合の作業は、先ず洗浄機の電源を入れて、ノズルからお湯が出ていることを確認する。次いで、ノズルを犬の体に当てずに上から下へ、前から後ろへとシャワーすることにより犬の体を湿らせる。なお、霧吹き等を用いて行ってもよい。このように洗浄前に犬の体を湿らせておくことで、ノズルから洗浄水が噴射された際に汚れが分離し易くなり、容易かつ確実に汚れを除去することができる。
【００３９】
続いて、洗浄機を用いて犬を洗浄する。この洗浄作業は、ノズル及び吸引口を一方の手で把持し、後述する犬の体の洗浄する部分に対して、ノズル及び吸引口を当てながら行う。これにより、洗浄部分に対して洗浄水を噴射させるとともに、吸引口から汚れを含んだ洗浄水を吸引させる。なお、犬の体格が小型の場合には、台を用意し、台に犬を乗せた状態で洗浄作業を行うと容易に洗浄を行うことができる。このような犬の洗浄の方法によれば、洗浄に用いられる洗浄水は、ノズルから噴出した後、洗浄機に回収されるため、犬の洗浄の際に、周囲を洗浄水等で濡らすことを防止できる。なお、吸引口を介して回収された洗浄水は、洗浄機本体内部の汚水タンクに溜められる。
【００４０】
犬の体の洗う部分及び手順について以下に説明する。
先ず、背中から行う。その際、背中に沿ってノズルを当てる。また、背中に対してノズルの向きが一定の角度を保持するように行う。背中の上から下まで洗浄した後、再びノズルを上に戻す場合、ノズルのレバー操作等によりノズルから洗浄水を出さないでノズルを戻す。
【００４１】
次に、脇腹を洗う。その際、ノズルから出る洗浄水を体になじませるように、他方の手（ノズルを把持していない方の手）を脇腹に添えながら洗浄を行う。
【００４２】
続いて、腕周りから腹にかけて洗う。その際、他方の手の手のひらにノズルから噴出された水を溜めるようにして行う。
【００４３】
続いて、肩上部から足先までを洗う。その際、肩上部から足先にかけて、一方の手でノズルを把持してゆっくりと動かしながら行う。また、足の上部は、上から下へかけて他方の手を添えて揉むように洗う。上記した洗浄作業は、吸引される水がきれいになるまで繰り返し行う。
【００４４】
続いて、股部を洗う。その際、洗浄水を含ませたマイクロファイバークロスを用いて、股部をしっかりと拭く。
【００４５】
続いて、尾及びおしり回りを洗う。その際、一方の手でノズルを動かし、他方の手で犬の尾を保持し、尾を揉むようして洗う。また、尾の側部も同様の要領で洗う。
【００４６】
続いて、あごの下部から胸にかけて洗う。その際、例えば吸引口を介して吸引される洗浄水の色を観察し、吸引される洗浄水の汚れ具合を確認しながら行う。
【００４７】
続いて、首回り、耳、及びその周辺部分を洗う。その際、洗浄作業に先立ち、犬が吸引音に驚くことを防止するため、洗浄機の吸引力は弱めに設定する。また、他方の手（ノズルを把持していない方の手）で犬の耳を持ち上げ、耳の上部、耳の周囲、及び耳の裏の各部分を洗う。耳は、脂肪が多く軟らかい部分であるので揉み洗いをする。その際、手を良く動かしながら耳先まで洗う。
【００４８】
続いて、頭部を洗う。その際、他方の手（ノズルを把持していない方の手）で犬の頭の上部を押さえながら行う。また、犬の目及び鼻に洗浄水が入らないように注意をしながら行う。また、頭部の狭い部分の洗浄については、洗浄機を用いずに、洗浄水をかけて手で揉み洗いをする。
【００４９】
続いて、目の周りと目の間の部分などの顔の細部を洗う。その際、洗浄水を十分に含ませたマイクロファイバークロスを用いて洗う。
【００５０】
続いて、肉球を洗う。その際、犬の足を持ち上げた状態で洗う。洗浄には洗浄機を用いるが、洗浄水を含ませたマイクロファイバークロスを併用し、手で揉むようにしながら、足の指先から肉球までを洗浄する。
【００５１】
以上、犬の体の洗う部分及び手順について説明したが、洗う部分の順番については、上記した順に限定されず、例えば、先ず頭部から洗い、次いで背中、脇腹の順で洗ってもよい。また、このような洗浄の後であっても、皮膚の深層部にシャンプー等が残留しており、犬から匂いが上がってくる場合には、上記した洗浄工程を匂いがなくなるまで繰り返す。その場合には、犬の体に十分に水を含ませる要領でゆっくりと洗う。
【００５２】
続いて、犬の飼い主に洗浄具合を確認してもらう。その際、汚水タンクに回収された洗浄水を飼い主に見せ、その汚れ具合を目視で確認してもらうとよい。なお、回収された洗浄水に洗剤が多く含まれる場合、洗剤は細かい泡となって浮いた状態となる。
【００５３】
続いて、頭部などの早めに乾かしたい部分の水分を除去して乾かす。その際、マイクロファイバークロスに水分を吸収させる。続いて、耳の内部及び外部、目、口の周囲についても、同様に乾かす。その際、マイクロファイバークロスで水分を拭き取るというよりは、体毛にクロスを当てるようにして、マイクロファイバークロスに水分をしみ込ませるようにゆっくりと拭く。次いで、他の部分についても、同様に、マイクロファイバークロスに水分を吸収させて乾かす。なお、マイクロファイバークロスは、毛細管現象によって吸水するため、布製のクロスを用いた場合に比べて約７分の１の時間で吸水が可能である。そのため、このようにマイクロファイバークロスを用いて吸水する場合、乾くまでの時間が短縮されて、犬の負担が軽減される利点がある。
【００５４】
最後に、ドライヤーを用いて毛を乾かす。その際、洗浄機及びマイクロファイバークロスの両方の吸水作用により、水分の多くが予め除去されているため、乾きが早く、犬のストレスが少ない。以上により、１頭の犬の洗浄が完了する。
【００５５】
続いて、引き続き洗浄を行う他の犬がいる場合、ノズル及び吸引口を除菌清掃する。その際、吸引口は除菌洗浄剤をスプレーし、マイクロファイバークロスで拭きとる。また、除菌洗浄剤をスプレーした後に、洗浄機を運転すると、吸引口からホースまで除菌洗浄することができる。その後、他の犬に対して上記した洗浄作業を行う。
【００５６】
洗浄を行う他の犬がいない場合、犬の洗浄の段階は終了し、続いて道具の手入れの段階へ移る。なお、以下に説明する道具の手入れの段階における作業は、説明書１００の表３０（図４参照）を参照しながら行ってもよい。
【００５７】
道具の手入れの段階では、先ず、洗浄機、ホース、ノズル及び吸引口などを洗浄する。その際、ポリバケツ等に４リットル程度の水を溜めて、その水を洗浄機に吸引させる。洗浄後は、洗浄機の内部の汚水用のタンクは空にしておく。また、ホース内に残った水は、洗浄機の給水ポンプを稼働させ、ノズルを介して放出させる。
【００５８】
続いて、洗浄機本体からホースを取り外すとともに、ノズル及び吸引口をホースから取り外す。その際、洗浄機、ノズル、及びホースの内部の圧力を開放しておくと、それぞれの取り外しが容易となる。
【００５９】
ホースは、両端が垂れた状態でぶら下げておく。その際、ホースが巻かれた状態では、ホースの内部に水滴等が残りやすくなる。そのため、ホースの端部から水分等を排出しやすくするために、ホースは巻かずにぶら下げる。
【００６０】
洗浄機本体及びケミカルは、衛生管理のために自動車の荷台から降ろして保管する。洗浄機本体は、タンク等の洗浄後、乾燥させる。洗浄の際には、環境衛生用除菌剤を活用する。なお、フィルターについても洗浄機本体から取り外して、付着した毛を除去するなどの清掃を行う。
【００６１】
洗浄機本体は、本体内部の通気性を確保するために、蓋の一部が開いた状態で保管する。なお、洗浄機本体は、凍結の可能性のある低温の場所や屋外では保管しない。また、雑菌の繁殖を防ぐために、湿度の高い環境に長時間放置しないようにする。ノズルやホース等の保管についても同様である。
【００６２】
使用後のマイクロファイバークロスは、使用当日中に洗っておく。マイクロファイバークロスの洗濯には、液体の中性洗剤などを用いる。なお、粉石けんは、マイクロファイバークロスが目詰まりを起こすため、洗濯用洗剤としては使用しない。また、柔軟剤入りの洗剤や漂白剤についても使用しない。また、マイクロファイバークロスの汚れが激しい場合には、約８０℃で１０分間程度洗うと汚れを容易に落とすことができる。
【符号の説明】
【００６３】
１０、２０、３０…表  
１２、２２、３２…ナンバリングが記載される欄
１３、２３、３３…手順及び注意点が記載される欄
１３ａ、１３ｃ、１３ｅ、１３ｇ、１３ｉ、２３ａ、２３ｃ、２３ｅ、２３ｇ、２３ｉ、３３ａ、３３ｃ、３３ｅ、３３ｇ、３３ｉ…手順が記載される欄
１３ｂ、１３ｄ、１３ｆ、１３ｈ、１３ｊ、２３ｂ、２３ｄ、２３ｆ、２３ｈ、２３ｊ、３３ｂ、３３ｄ、３３ｆ、３３ｈ、３３ｊ…注意点が記載される欄
１４、２４、３４…写真が配置される欄
１００…説明書
【図１】
2015107621.tif 000003
【図２】
2015107621.tif 000004
【図３】
2015107621.tif 000005
【図４】
2015107621.tif 000006